(57)【要約】【課題】ジョブショップ型の生産現場において、ワークの所在が不明になったとしても、捜索に費やす時間を少なく抑え得るワークの移動軌跡表示方法及び表示装置を提供する。【解決手段】データベース２と、複数のワークＷに添付されたＩＣタグ３と、作業エリアＡ１〜Ａ６毎に設置されて、搬入されたワークＷの名前や作業終了時刻などの情報をデータベース２に固有のＩＤを付して送信する作業実績報告用ＰＣ４と、３本の搬送路Ｒ１〜Ｒ３の適宜箇所に配置されて、ワークＷが近傍を通過した時点で、ワークＷ添付のＩＣタグ３内の情報をデータベース２に通過時刻とともに自己保有のＩＤを付して送信するＩＣタグリーダ５と、データベース２に登録された作業実績報告用ＰＣ４及びＩＣタグリーダ５からの各情報に基づいて、ワークＷの移動軌跡を作業エリアＡ１〜Ａ６のレイアウト図上に表示する表示部９を備えている。【選択図】図１
2010244237.tif 000002
【特許請求の範囲】
【請求項１】
互いに異なる作業を行う複数の作業エリアが設置されるジョブショップ型の生産現場において、施される複数の作業の内容及び順序がそれぞれ異なる複数のワーク個々の前記複数の作業エリア間における移動軌跡を表示するワークの移動軌跡表示方法であって、
前記複数のワークに固有のＩＤを付したＩＣタグをそれぞれ添付し、
データベースに送信可能で且つ固有のＩＤを持つ作業実績報告用ＰＣを複数の作業エリアにそれぞれ設置すると共に、データベースに送信可能で且つ固有のＩＤを持つＩＣタグリーダを前記複数の作業エリアを結ぶ各搬送路の複数箇所にそれぞれ配置し、
前記複数の作業エリアでは、各作業エリア毎の前記作業実績報告用ＰＣにより、搬入されたワークの名前や作業開始時刻や作業終了時刻などの情報を前記データベースに対して該作業実績報告用ＰＣ固有のＩＤを付して送信し、
前記複数の作業エリアを結ぶ複数の搬送路では、各々の適宜箇所の前記ＩＣタグリーダ近傍を搬送中の前記ワークが通過した時点で、このＩＣタグリーダにより該ワークに添付したＩＣタグ内の固有のＩＤを含む情報を読み取って前記データベースに対して通過時刻とともに該ＩＣタグリーダ固有のＩＤを付して送信し、
前記データベースに登録された前記作業実績報告用ＰＣ及び前記ＩＣタグリーダからの各情報に基づいて、前記ワークの移動軌跡を前記複数の作業エリアのレイアウト図上に表示する
ことを特徴とするワークの移動軌跡表示方法。
【請求項２】
前記ワークの移動軌跡が、時系列的に矢印により表示される請求項１に記載のワークの移動軌跡表示方法。
【請求項３】
前記ワークの移動軌跡が、動画により表示される請求項１又は２に記載のワークの移動軌跡表示方法。
【請求項４】
前記ワークの移動軌跡のうちの最新の移動区間が、それ以前の移動区間と異なるパターンで表示される請求項１〜３のいずれか一つの項に記載のワークの移動軌跡表示方法。
【請求項５】
前記複数の作業エリアを結ぶ各搬送路の適宜箇所にそれぞれ配置されたＩＣタグリーダを、前記ワークに添付したＩＣタグ内の情報を読み取るアンテナと、読み取ったＩＣタグ内の情報を前記データベースに送信する移動把握用ＰＣとから構成すると共に、これらの移動把握用ＰＣ及び前記複数の作業エリア毎にそれぞれ設置された作業実績報告用ＰＣとは別に管理用ＰＣを設置し、
この管理用ＰＣから前記移動把握用ＰＣ及び作業実績報告用ＰＣに定期的に順次接続して、該移動把握用ＰＣ及び作業実績報告用ＰＣの各々の起動状態に続いて所定のアプリケーションの起動状態を順次確認し、
所定のアプリケーションまで起動している場合には、固有のＩＤを付した前記移動把握用ＰＣ及び作業実績報告用ＰＣからのデータがそれぞれ前記データベースに登録されているか否かを確認し、
起動状態又は所定のアプリケーションの起動状態が確認できない場合、所定のアプリケーションが起動していてもその正常起動状況を出力する専用のログファイルの不備が確認された場合、及び、データベースに該移動把握用ＰＣ及び作業実績報告用ＰＣのデータが登録されていない場合には、前記移動把握用ＰＣ及び作業実績報告用ＰＣに自動発信メールにより状況を伝えると共に、前記データベースに該移動把握用ＰＣ及び作業実績報告用ＰＣのデータが登録されていない場合を除いて前記所定のアプリケーションを起動させ、
前記複数の作業エリアのレイアウト図上に前記移動把握用ＰＣ及び作業実績報告用ＰＣの稼働状況を表示する請求項１〜４のいずれか一つの項に記載のワークの移動軌跡表示方法。
【請求項６】
互いに異なる作業を行う複数の作業エリアが設置されるジョブショップ型の生産現場において、施される複数の作業の内容及び順序がそれぞれ異なる複数のワーク個々の前記複数の作業エリア間における移動軌跡を表示するワークの移動軌跡表示装置であって、
データベースと、
前記複数のワークにそれぞれ添付されたＩＣタグと、
複数の作業エリア毎にそれぞれ設置されて、搬入されたワークの名前や作業開始時刻や作業終了時刻などの情報を前記データベースに対して該作業エリア固有のＩＤを付して送信する作業実績報告用ＰＣと、
前記複数の作業エリアを結ぶ各搬送路の適宜箇所にそれぞれ配置されて、前記ワークが近傍を通過した時点で、該ワークに添付したＩＣタグ内の情報を前記データベースに対して通過時刻とともに自己保有のＩＤを付して送信するＩＣタグリーダと、
前記データベースに登録された前記作業実績報告用ＰＣ及び前記ＩＣタグリーダからの各情報に基づいて、前記ワークの移動軌跡を前記複数の作業エリアのレイアウト図上に表示する表示部を備えている
ことを特徴とするワークの移動軌跡表示装置。
【発明の詳細な説明】
【技術分野】
【０００１】
本発明は、互いに異なる作業を行う複数の作業エリアが設置されて、施される複数の作業の内容及び順序がそれぞれ異なる複数のワークが上記複数の作業エリアを流れる所謂ジョブショップ型の生産現場において、ワーク個々の移動軌跡を把握するのに用いられるワークの移動軌跡表示方法及び表示装置に関するものである。  
【背景技術】
【０００２】
上記した施される複数の作業の内容及び順序がそれぞれ異なる複数のワークが流れるジョブショップ型の生産現場では、ワークに対する加工時間や検査時間などの作業時間を把握したり、ワークの居場所などの状況を認識したりする必要がある。
このような場合、複数のワーク個々にＩＣタグを添付し、作業エリア毎に設置したＩＣタグリーダに各ワークのＩＣタグのデータを読み取らせることによって、ワークの搬入，作業開始，作業終了及び搬出の各時間を取得するのが一般的である。
ここで、例えば、特許文献１に開示された情報管理システムでは、複数の作業エリアを結ぶ各搬送路の適宜箇所にＩＣタグリーダをそれぞれ配置し、搬送台車が上記ＩＣタグリーダ近傍を通過する際に、この搬送台車にまとめて積まれた次工程や作業完了品置き場を目指すワーク添付の各ＩＣタグのデータを読み取ることで、複数のワーク個々の移動軌跡を把握するようになっている。
【先行技術文献】
【特許文献】
【０００３】
【特許文献１】特開２００５−１７０５７９号公報
【発明の概要】
【発明が解決しようとする課題】
【０００４】
ところが、上記した従来の情報管理システムにおいて、作業エリア間の搬送路上でワークの所在がつかめなくなった場合には、搬送路に配置したＩＣタグリーダの各読み取り履歴を解析することで、ワークの所在を突き止めることができるものの、このワーク探しには、多くの時間が費やされてしまうという問題があり、この問題を解決することが従来の課題となっていた。
【０００５】
本発明は、上記した従来の課題に着目してなされたもので、ジョブショップ型の生産現場において、ワークの移動軌跡をリアルタイムにそして詳細に把握することができ、その結果、ワークの所在が不明になったとしても、捜索に費やす時間を少なく抑えることが可能であり、加えて、ワークの滞留の軽減及びリードタイムの短縮にも貢献することができるワークの移動軌跡表示方法及び表示装置を提供することを目的としている。
【課題を解決するための手段】
【０００６】
本発明の請求項１に係る発明は、互いに異なる作業を行う複数の作業エリアが設置されるジョブショップ型の生産現場において、施される複数の作業の内容及び順序がそれぞれ異なる複数のワーク個々の前記複数の作業エリア間における移動軌跡を表示するワークの移動軌跡表示方法であって、前記複数のワークに固有のＩＤを付したＩＣタグをそれぞれ添付し、データベースに送信可能で且つ固有のＩＤを持つ作業実績報告用ＰＣを複数の作業エリアにそれぞれ設置すると共に、データベースに送信可能で且つ固有のＩＤを持つＩＣタグリーダを前記複数の作業エリアを結ぶ各搬送路の複数箇所にそれぞれ配置し、前記複数の作業エリアでは、各作業エリア毎の前記作業実績報告用ＰＣにより、搬入されたワークの名前や作業開始時刻や作業終了時刻などの情報を前記データベースに対して該作業実績報告用ＰＣ固有のＩＤを付して送信し、前記複数の作業エリアを結ぶ複数の搬送路では、各々の適宜箇所の前記ＩＣタグリーダ近傍を搬送中の前記ワークが通過した時点で、このＩＣタグリーダにより該ワークに添付したＩＣタグ内の固有のＩＤを含む情報を読み取って前記データベースに対して通過時刻とともに該ＩＣタグリーダ固有のＩＤを付して送信し、前記データベースに登録された前記作業実績報告用ＰＣ及び前記ＩＣタグリーダからの各情報に基づいて、前記ワークの移動軌跡を前記複数の作業エリアのレイアウト図上に表示する構成としたことを特徴としており、このワークの移動軌跡表示方法の構成を前述した従来の課題を解決するための手段としている。
【０００７】
また、本発明の請求項２に係るワークの移動軌跡表示方法は、前記ワークの移動軌跡が、時系列的に矢印により表示される構成としている。
さらに、本発明の請求項３に係るワークの移動軌跡表示方法は、前記ワークの移動軌跡が、動画により表示される構成としている。
さらにまた、本発明の請求項４に係るワークの移動軌跡表示方法は、前記ワークの移動軌跡のうちの最新の移動区間が、それ以前と異なるパターンで表示される、例えば、異なる色や線種で表示される構成としている。
【０００８】
さらにまた、本発明の請求項５に係るワークの移動軌跡表示方法において、前記複数の作業エリアを結ぶ各搬送路の適宜箇所にそれぞれ配置されたＩＣタグリーダを、前記ワークに添付したＩＣタグ内の情報を読み取るアンテナと、読み取ったＩＣタグ内の情報を前記データベースに送信する移動把握用ＰＣとから構成すると共に、これらの移動把握用ＰＣ及び前記複数の作業エリア毎にそれぞれ設置された作業実績報告用ＰＣとは別に管理用ＰＣを設置し、この管理用ＰＣから前記移動把握用ＰＣ及び作業実績報告用ＰＣに定期的に順次接続して、該移動把握用ＰＣ及び作業実績報告用ＰＣの各々の起動状態に続いて所定のアプリケーションの起動状態を順次確認し、所定のアプリケーションまで起動している場合には、固有のＩＤを付した前記移動把握用ＰＣ及び作業実績報告用ＰＣからのデータがそれぞれ前記データベースに登録されているか否かを確認し、起動状態又は所定のアプリケーションの起動状態が確認できない場合、所定のアプリケーションが起動していてもその正常起動状況を出力する専用のログファイルの不備が確認された場合、及び、データベースに該移動把握用ＰＣ及び作業実績報告用ＰＣのデータが登録されていない場合には、前記移動把握用ＰＣ及び作業実績報告用ＰＣに自動発信メールにより状況を伝えると共に、前記データベースに該移動把握用ＰＣ及び作業実績報告用ＰＣのデータが登録されていない場合を除いて前記所定のアプリケーションを起動させ、前記複数の作業エリアのレイアウト図上に前記移動把握用ＰＣ及び作業実績報告用ＰＣの稼働状況を表示する構成としている。
【０００９】
一方、本発明の請求項６に係る発明は、互いに異なる作業を行う複数の作業エリアが設置されるジョブショップ型の生産現場において、施される複数の作業の内容及び順序がそれぞれ異なる複数のワーク個々の前記複数の作業エリア間における移動軌跡を表示するワークの移動軌跡表示装置であって、データベースと、前記複数のワークにそれぞれ添付されたＩＣタグと、複数の作業エリア毎にそれぞれ設置されて、搬入されたワークの名前や作業開始時刻や作業終了時刻などの情報を前記データベースに対して該作業エリア固有のＩＤを付して送信する作業実績報告用ＰＣと、前記複数の作業エリアを結ぶ各搬送路の適宜箇所にそれぞれ配置されて、前記ワークが近傍を通過した時点で、該ワークに添付したＩＣタグ内の情報を前記データベースに対して通過時刻とともに自己保有のＩＤを付して送信するＩＣタグリーダと、前記データベースに登録された前記作業実績報告用ＰＣ及び前記ＩＣタグリーダからの各情報に基づいて、前記ワークの移動軌跡を前記複数の作業エリアのレイアウト図上に表示する表示部を備えている構成としたことを特徴としており、このワークの移動軌跡表示装置の構成を前述した従来の課題を解決するための手段としている。
【００１０】
本発明に係るワークの移動軌跡表示方法及び表示装置において、ワークに添付するＩＣタグとしては、パッシブタグ及びアクティブタグのいずれのＩＣタグを用いてもよく、電磁波の伝達方式も電磁誘導方式及び電波式のいずれであってもよい。
また、ワークに添付したＩＣタグ内の情報を読み取ってデータベースに送信するＩＣタグリーダは、搬送路が交差する箇所や、搬送路が二股に分岐する箇所に配置することが望ましい。この際、ＩＣタグリーダの搬送路における配置間隔は、ワークに添付するＩＣタグの通信可能範囲に応じた間隔とすることが望ましい。例えば、通信可能範囲が２〜３ｍのＵＨＦ帯のパッシブタグを使用する場合には、ＩＣタグリーダを５ｍ程度の間隔で配置することが望ましい。  
【００１１】
本発明に係るワークの移動軌跡表示方法及び表示装置では、まず、作業エリアに搬入されたワークに対する作業が終了した時点において、この作業エリアの担当者が、作業実績報告用ＰＣにより作業終了の報告を行うと、ワークの名前や作業終了時刻などの情報がこの作業実績報告用ＰＣ固有のＩＤとともにデータベースに登録される、すなわち、移動軌跡の起点がデータベースに登録される。
【００１２】
次に、このようなジョブショップ型の生産現場では、ワーク搬送者が各作業エリアにおいて作業が終了したワークを受け取って次の作業エリアへ搬送する。
この搬送の間、作業エリアを結ぶ搬送路の適宜箇所に配置したＩＣタグリーダの近傍をワークが通過した時点で、このワークに添付したＩＣタグ内の固有のＩＤを含む情報及び通過時刻をＩＣタグリーダにより固有のＩＤを付して報告すると、このワークの位置情報がデータベースに登録される、すなわち、上記起点からこのＩＣタグリーダの設置点までの移動軌跡がデータベースに登録される。
【００１３】
そして、ワークに対する作業が終了して次の作業エリアに搬送する度に、上記した作業エリアでの作業実績報告用ＰＣによる作業終了報告及び搬送路上でのＩＣタグリーダによる通過報告を行うと、データベースに登録された作業実績報告用ＰＣ及びＩＣタグリーダからの各情報に基づいて、該当するワークがいつ何処を通って搬送されたかを把握し得ることとなり、この情報を複数の作業エリアのレイアウト図上にワークの移動軌跡として表示することで、ワークの移動経路をリアルタイムで且つ詳細に把握し得ることとなる。
【００１４】
この際、ワークの移動軌跡が、時系列的に矢印により表示されるようにしたり、動画により表示されるようにしたりすれば、ワークの移動経路がより判り易くなり、ワークの移動軌跡のうちの最新の移動区間が、それ以前の移動区間と異なるパターンの色や線種で表示されるようにすれば、ワークの所在がつかめなくなった場合に、ワークの捜索がし易くなる。
【００１５】
また、アンテナとともにＩＣタグリーダを構成する移動把握用ＰＣ及び作業実績報告用ＰＣとは別に設置した管理用ＰＣから、移動把握用ＰＣ及び作業実績報告用ＰＣに定期的に順次接続して、これらのＰＣの各々の起動状態に続いて所定のアプリケーションの起動状態を順次確認するようにし、例えば、所定のアプリケーションの起動状態が確認できない場合に、移動把握用ＰＣ及び作業実績報告用ＰＣに自動発信メールにより状況を伝えたうえで、所定のアプリケーションを起動させるようになせば、上記したワークの移動軌跡表示システムにおける移動把握用ＰＣや作業実績報告用ＰＣの正常稼働率を高め得ることとなる。
【００１６】
そして、複数の作業エリアのレイアウト図上に移動把握用ＰＣ及び作業実績報告用ＰＣの稼働状況を表示するようになせば、多数あるＰＣすべての稼働状況をリアルタイムで且つ詳細に把握し得ることとなる。
【発明の効果】
【００１７】
本発明の請求項１に係るワークの移動軌跡表示方法及び請求項６に係る表示装置は、上記した構成としていることから、ジョブショップ型の生産現場において、ワークの移動軌跡をリアルタイムにそして詳細に把握することができ、したがって、ワークの所在がわからなくなった場合であったとしても、捜索に費やす時間を少なく抑えることが可能であり、加えて、ジョブショップ型の生産現場で有りがちな、行く先の異なるワークをまとめて搬送することで生じる無駄むらなどの弊害や、作業エリアのレイアウト上の不備が一目瞭然となるので、このような問題点を踏まえて搬送の仕方やレイアウトを適切に変更することで、ワークの滞留の軽減及びリードタイムの短縮にも貢献することができるという非常に優れた効果がもたらされる。
【００１８】
また、本発明の請求項２〜４に係るワークの移動軌跡表示方法では、それぞれ上記した構成としていることから、ワークの移動経路がより判り易くなると共に、ワークの所在がつかめなくなった場合に、ワークの捜索がし易くなるという効果が得られる。
さらに、本発明の請求項５に係るワークの移動軌跡表示方法では、上記した構成としていることから、このシステムにおける移動把握用ＰＣや作業実績報告用ＰＣの正常稼働率を高めることができるという非常に優れた効果がもたらされる。
【図面の簡単な説明】
【００１９】
【図１】本発明の一実施例によるワークの移動軌跡表示装置をジョブショップ型の生産現場に設置した状態を示す平面説明図である。
【図２】図１におけるワークの移動軌跡表示装置のデータベースに対する作業実績報告用ＰＣ及びＩＣタグリーダの通信要領説明図である。
【図３】図１におけるワークの移動軌跡表示装置のＩＣタグに対する作業実績報告用ＰＣ及びＩＣタグリーダの通信要領説明図である。
【図４】図１におけるワークの移動軌跡表示装置の稼働状況の一表示例を示す稼働状況確認図である。
【図５】図１に示したワークの移動軌跡表示装置の稼働状況を確認する際のフローチャートである。
【発明を実施するための形態】
【００２０】
以下、本発明に係るワークの移動軌跡表示装置を図面に基づいて説明する。
図１は、本発明に係るワークの移動軌跡表示装置の一実施例を示しており、図１に示すように、このワークの移動軌跡表示装置１は、互いに異なる作業を行う複数（本実施例では６箇所）の作業エリアＡ１〜Ａ６を有するジョブショップ型の生産現場において、施される複数の作業の内容及び順序がそれぞれ異なる複数のワークＷ個々の作業エリアＡ１〜Ａ６間における移動軌跡を表示する装置である。
【００２１】
この移動軌跡表示装置１は、図２にも示すように、データベース２と、複数のワークＷにそれぞれ添付されたＩＣタグ３と、作業エリアＡ（Ａ１〜Ａ６）毎にそれぞれ設置されて、搬入されたワークＷの名前や作業開始時刻や作業終了時刻などの情報をデータベース２に対して作業エリアＡ１〜Ａ６固有のＩＤを付して送信する作業実績報告用ＰＣ４（４１〜４６）と、作業エリアＡ１〜Ａ６を結ぶ複数（本実施例では３本）の搬送路Ｒ１〜Ｒ３の適宜箇所にそれぞれ配置されて、ワークＷが近傍を通過した時点で、このワークＷに添付したＩＣタグ３内の情報をデータベース２に対して通過時刻とともに自己保有のＩＤを付して送信するＩＣタグリーダ５（５１〜５６）と、データベース２に登録された作業実績報告用ＰＣ４及びＩＣタグリーダ５からの各情報に基づいて、ワークＷの移動軌跡を作業エリアＡ１〜Ａ６のレイアウト図上に表示する表示部９を備えている。
【００２２】
この場合、複数のワークＷには、図３に示すように、作業実績報告用ＩＣタグ３Ａ及び移動実績把握用ＩＣタグ３Ｂの２種類のＩＣタグ３がそれぞれ添付されるようになっており、それぞれのＩＣタグ３Ａ，３ＢにワークＷに関する名前などの情報が格納されるようになっている。
作業実績報告用ＩＣタグ３Ａは、作業エリアＡの各作業実績報告用ＰＣ４と対をなすトレー型リーダ６（６１〜６６）に置くことで、データが繰り返し読み取られるようになっている。
【００２３】
一方、移動実績把握用ＩＣタグ３Ｂは、移動把握用ＰＣ７（７１〜７６）とともにＩＣタグリーダ５を構成するアンテナ８（８１〜８６）の近傍を通過した時点で、データが読み取られるようになっている。
また、表示部９では、ワークＷの移動軌跡Ｔが、順を追って矢印により表示される（実際には、動画により矢印Ｔ１〜Ｔ４が順次表示される）ようになっており、この際、ワークＷの移動軌跡Ｔのうちの最新の移動軌跡Ｔ４が、線種がそれ以前の移動軌跡Ｔ１〜Ｔ３と異なる破線で表示されるようになっている。
【００２４】
この実施例において、移動把握用ＰＣ７１〜７６及び作業実績報告用ＰＣ４１〜４６は、これらのＰＣとは別に遠隔に設置された図示しない管理用ＰＣにより、各々の起動状態に続いて所定のアプリケーションの起動状態が順次確認されるようになっており、例えば、図４に示すように、作業エリアＡ５における作業実績報告用ＰＣ４５の所定のアプリケーションの起動状態が確認できない場合に、この作業実績報告用ＰＣ４５に自動発信メールにより状況を伝えたうえで、所定のアプリケーションを起動させるようになっている。
【００２５】
上記したワークの移動軌跡表示装置１では、まず、例えば、作業エリアＡ２に搬入されたワークＷに対する作業が終了した時点において、この作業エリアＡ２の担当者が、作業実績報告用ＰＣ４２により作業終了の報告を行うと、ワークＷの名前や作業終了時刻などの情報がこの作業実績報告用ＰＣ４２固有のＩＤとともにデータベース２に登録される、すなわち、移動軌跡Ｔ（Ｔ１）の起点がデータベース２に登録される。
【００２６】
次に、このようなジョブショップ型の生産現場では、ワーク搬送者が作業エリアＡ２において作業が終了したワークＷを受け取って次の作業エリアＡ１へ搬送する。
この搬送の間、作業エリアＡ２，Ａ１を結ぶ搬送路Ｒ２に配置したＩＣタグリーダ５１の近傍をワークＷが通過した時点で、このワークＷに添付した移動実績把握用ＩＣタグ３Ｂ内の固有のＩＤを含む情報及び通過時刻をＩＣタグリーダ５１の移動把握用ＰＣ７１により固有のＩＤを付して報告すると、このワークＷの位置情報がデータベース２に登録される。
【００２７】
次いで、ワークＷが作業エリアＡ１へ搬入されるのに続いて作業がなされ、この作業エリアＡ１の担当者が、作業実績報告用ＰＣ４１により作業終了の報告を行うと、ワークＷの名前や作業終了時刻などの情報がこの作業実績報告用ＰＣ４１固有のＩＤとともにデータベース２に登録される、すなわち、上記起点から作業エリアＡ１までの移動軌跡Ｔ（Ｔ１）がデータベース２に登録される。
【００２８】
そして、ワークＷに対する作業が順次終了して次の作業エリアＡ６，Ａ４，Ａ２に搬送する度に、上記した作業エリアＡ６，Ａ４，Ａ２での作業実績報告用ＰＣ４６，４４，４２による作業終了報告及び搬送路Ｒ１〜Ｒ３上でのＩＣタグリーダ５４，５６，５５，５３による通過報告を行うと、データベース２に登録された作業実績報告用ＰＣ４６，４４，４２及びＩＣタグリーダ５４，５６，５５，５３からの各情報に基づいて、該当するワークＷがいつ何処を通って搬送されたかを把握し得ることとなり、この情報を表示部９の作業エリアＡ１〜Ａ６のレイアウト図上にワークの移動軌跡Ｔとして表示することで、ワークの移動経路をリアルタイムで且つ詳細に把握し得ることとなる。
【００２９】
この実施例において、表示部９が、ワークＷの移動軌跡Ｔを、矢印Ｔ１〜Ｔ４が順次表示される動画により示すようにしているうえ、ワークＷの移動軌跡Ｔのうちの最新の移動区間の軌跡Ｔ４の線種を、それ以前の移動軌跡Ｔ１〜Ｔ３とは異なる破線で表示するようにしているので、ワークＷの移動経路がより判り易くなると共に、ワークＷの所在がつかめなくなった際の捜索がし易くなる。
【００３０】
次に、上記したワークの移動軌跡表示装置１による表示システムを充実したものとするための稼働状況の確認要領を説明する。
まず、図５のフローチャートに示すように、ステップＳ１，Ｓ２において管理用ＰＣから移動把握用ＰＣ７及び作業実績報告用ＰＣ４に定期的に順次接続して、該当するＰＣ４，７の起動状態に続いてこのＰＣ４，７のタスクマネージャに所定のアプリケーションが表示されているか（所定のアプリケーションが起動されているか）を順次確認する。      
【００３１】
次いで、所定のアプリケーションまで起動している場合（ステップＳ１，Ｓ２においていずれもＹｅｓの場合）には、ステップＳ３において所定のアプリケーションの正常起動を示すログが専用のログファイルに出力されているかを確認するのに続いて、ステップＳ４において該当するＰＣ４，７からのデータがデータベース２に登録されているか否かを確認し、ステップＳ５において移動把握用ＰＣ７及び作業実績報告用ＰＣ４のすべてのＰＣの確認が終了するまで、ステップＳ１〜Ｓ５の処理を繰り返す。
【００３２】
そして、ステップＳ１においてＰＣの起動状態が確認できない場合（ステップＳ１においてＮｏの場合）は、ステップＳ７においてそのＰＣの担当者に自動発信メールにより状況を伝えてＰＣの起動を促し、ステップＳ２において所定のアプリケーションの起動状態が確認できない場合（ステップＳ２においてＮｏの場合）や、ステップＳ３において所定のアプリケーションが起動していてもその正常起動状況を出力する専用のログファイルの不備が確認された場合（ステップＳ３においてＮｏの場合）は、ステップＳ６において所定のアプリケーションを起動させると共に、ステップＳ７においてそのＰＣの担当者に自動発信メールにより状況を伝える。
【００３３】
一方、ステップＳ４において該当するＰＣ４，７からのデータがデータベース２に登録されていない場合（ステップＳ４においてＮｏの場合）は、ステップＳ７においてそのＰＣの担当者に自動発信メールにより状況を伝えて、ネットワークの接続状態の確認を促す。
このように、所定のアプリケーションの起動状態が確認できない場合などに、移動把握用ＰＣ７及び作業実績報告用ＰＣ４に自動発信メールにより状況を伝えたうえで、所定のアプリケーションを起動させるようになせば、上記したワークの移動軌跡表示装置１による表示システムにおける移動把握用ＰＣ７や作業実績報告用ＰＣ４の正常稼働率を高め得ることとなる。
【００３４】
加えて、複数の作業エリアＡ１〜Ａ６のレイアウト図上に、図４に示すように、移動把握用ＰＣ７１〜７６及び作業実績報告用ＰＣ４１〜４６に対して、起動状態を表す○印，未起動状態を表す×，所定アプリケーションの起動状態を表す○印及び未起動状態を表す×印のいずれかを付した吹き出しを表示するようになせば、多数あるＰＣすべての稼働状況を（例えば、作業エリアＡ５の作業実績報告用ＰＣ４５が未起動状態であることを）リアルタイムで且つ詳細に把握し得ることとなる。
【００３５】
上記した実施例では、ワークＷに作業実績報告用ＩＣタグ３Ａ及び移動実績把握用ＩＣタグ３Ｂの２種類のＩＣタグ３を添付するようにしたうえで、作業エリアＡ１〜Ａ６に作業実績報告用ＰＣ４と対をなすトレー型リーダ６を設置して作業実績報告用ＩＣタグ３Ａのデータを読み取るようにしているが、これに限定されるものではなく、作業実績報告用ＰＣ４さえあれば、作業実績報告用ＩＣタグ３Ａ及びトレー型リーダ６は必ずしも必要ない。
【００３６】
本発明に係るワークの移動軌跡表示方法及び表示装置の構成は、上記した実施例の構成に限定されるものではない。
【符号の説明】
【００３７】
１  ワークの移動軌跡表示装置
２  データベース
３Ａ（３）  作業実績報告用ＩＣタグ（ＩＣタグ）
３Ｂ（３）  移動実績把握用ＩＣタグ（ＩＣタグ）
４（４１〜４６）  作業実績報告用ＰＣ
５（５１〜５６）  ＩＣタグリーダ
６（６１〜６６）  トレー型リーダ
７（７１〜７６）  移動把握用ＰＣ
８（８１〜８６）  アンテナ
９  表示部
Ａ（Ａ１〜Ａ６）  作業エリア
Ｒ１〜Ｒ３  搬送路  
Ｔ  ワークの移動軌跡
Ｔ１〜Ｔ４  矢印（ワークの移動軌跡）
【図１】
2010244237.tif 000003
【図２】
2010244237.tif 000004
【図３】
2010244237.tif 000005
【図４】
2010244237.tif 000006
【図５】
2010244237.tif 000007